(57)【要約】【課題】商品ランキングデータによる自販機商品への一般ユーザの興味を良好に喚起することができる自動販売機を提供する。【解決手段】自動販売機１００は、収容している複数種類の自販機商品の商品ランキングデータＴＲＤをランキング記憶部１２１で記憶し、その出力形態を変更する複数の出力変更モードをモード記憶部１２２が記憶する。複数の出力変更モードの少なくとも一つがモード設定部１２３に有効に設定されると、それに対応して商品ランキングデータＴＲＤの出力形態を出力変更部１３１が変更する。変更された出力形態で商品ランキングデータＴＲＤをランキング報知部１４１が報知出力する。このため、販売する自販機商品の商品ランキングデータＴＲＤが一般ユーザに様々な出力形態で報知出力されるので、商品ランキングデータＴＲＤによる自販機商品への一般ユーザの興味を良好に喚起することができる。【選択図】図１
2010191840.tif 000002
【特許請求の範囲】
【請求項１】
複数の商品選定スイッチを選定するユーザ入力操作に対応して収容している複数種類の定型の自販機商品を選択的に搬出する自動販売機であって、
収容される複数種類の前記自販機商品ごとに形成されている複数の前記商品選定スイッチと、
少なくとも収容されている複数種類の前記自販機商品の商品ランキングデータを記憶するランキング記憶部と、
記憶されている前記商品ランキングデータの少なくとも出力形態を変更する複数の出力変更モードを記憶するモード記憶部と、
複数の前記出力変更モードの少なくとも一つを有効に設定するモード設定部と、
設定された少なくとも一つの前記出力変更モードに対応して前記商品ランキングデータの出力形態を変更する出力変更部と、
変更された出力形態で前記商品ランキングデータを報知出力するランキング報知部と、
を有する自動販売機。
【請求項２】
少なくともテキストデータを表示出力するディスプレイユニットを有し、
前記ランキング報知部は、前記ディスプレイユニットに前記テキストデータで前記商品ランキングデータを表示出力させる請求項１に記載の自動販売機。
【請求項３】
前記商品選定スイッチは、少なくとも点灯する光源が内蔵されており、
前記ランキング報知部は、報知出力する前記商品ランキングデータに対応して複数の前記商品選定スイッチの前記光源の点灯状態を選択的に制御する請求項１または２に記載の自動販売機。
【請求項４】
前記商品選定スイッチは、前記光源が内蔵されていて前記自販機商品を模式している商品ダミー部と、前記光源が内蔵されていてユーザ入力操作されるユーザ操作部と、を有し、
前記ランキング報知部は、前記商品ダミー部と前記ユーザ操作部との前記光源の点灯状態を個別に制御する請求項３に記載の自動販売機。
【請求項５】
前記一般ユーザによる少なくとも一つのユーザアクションを検知するアクション検知部を、さらに有し、
前記出力変更部は、検知された前記ユーザアクションと前記出力変更モードとに対応して前記商品ランキングデータの出力形態を変更する請求項１ないし４の何れか一項に記載の自動販売機。
【請求項６】
前記モード記憶部は、複数の前記出力変更モードの一種として前記商品ランキングデータの出力タイミングを変更する複数のタイミング変更モードを記憶し、
前記モード設定部は、前記ユーザアクションに対応して複数の前記タイミング変更モードの一つを有効に設定し、
前記ランキング報知部は、設定された前記タイミング変更モードに対応した前記出力タイミングで前記商品ランキングデータを報知出力する請求項１ないし５の何れか一項に記載の自動販売機。
【請求項７】
前記モード記憶部は、複数の前記出力変更モードの一種として前記自販機商品が販売される複数種類の商品販売領域ごとに前記商品ランキングデータを集計する複数の領域集計モードを記憶し、
前記モード設定部は、前記出力変更モードとして複数の前記領域集計モードの一つを有効に設定し、
前記出力変更部は、設定された前記領域集計モードに対応した前記商品販売領域の前記商品ランキングデータを集計する請求項１ないし６の何れか一項に記載の自動販売機。
【請求項８】
前記モード記憶部は、複数の前記出力変更モードの一種として前記自販機商品が販売される複数の商品販売期間ごとに前記商品ランキングデータを集計する複数の期間集計モードを記憶し、
前記モード設定部は、前記出力変更モードとして複数の前記期間集計モードの一つを有効に設定し、
前記出力変更部は、設定された前記期間集計モードに対応した前記商品販売期間の前記商品ランキングデータを集計する請求項１ないし７の何れか一項に記載の自動販売機。
【請求項９】
前記モード記憶部は、複数の前記出力変更モードの一種として前記自販機商品の複数種類の販売商品区分ごとに前記商品ランキングデータを集計する複数の区分集計モードを記憶し、
前記モード設定部は、前記出力変更モードとして複数の前記区分集計モードの一つを有効に設定し、
前記出力変更部は、設定された前記区分集計モードに対応した前記販売商品区分で前記商品ランキングデータを集計する請求項１ないし８の何れか一項に記載の自動販売機。
【請求項１０】
外部入力される前記商品ランキングデータを前記ランキング記憶部に記憶させるランキング入力部を、さらに有する請求項１ないし９の何れか一項に記載の自動販売機。
【請求項１１】
外部入力される前記出力変更モードを前記モード記憶部に記憶させるモード入力部を、さらに有する請求項１ないし１０の何れか一項に記載の自動販売機。
【請求項１２】
外部入力されるモード設定データに対応して複数の前記出力変更モードの少なくとも一つを前記モード設定部に有効に設定する設定入力部を、さらに有する請求項１ないし１１の何れか一項に記載の自動販売機。
【請求項１３】
請求項１０に記載の複数の自動販売機と、
複数の前記自動販売機に前記商品ランキングデータを配信するデータ処理装置と、
を有するデータ処理システム。
【請求項１４】
請求項１１に記載の複数の自動販売機と、
複数の前記自動販売機に前記出力変更モードを配信するデータ処理装置と、
を有するデータ処理システム。
【請求項１５】
請求項１２に記載の複数の自動販売機と、
複数の前記自動販売機に前記モード設定データを配信するデータ処理装置と、
を有するデータ処理システム。
【請求項１６】
複数の商品選定スイッチを選定するユーザ入力操作に対応して収容している複数種類の定型の自販機商品を選択的に搬出する自動販売機のコンピュータプログラムであって、
少なくとも収容されている複数種類の前記自販機商品の商品ランキングデータを記憶するランキング記憶処理と、
記憶されている前記商品ランキングデータの少なくとも出力形態を変更する複数の出力変更モードを記憶するモード記憶処理と、
複数の前記出力変更モードの少なくとも一つを有効に設定するモード設定処理と、
設定された少なくとも一つの前記出力変更モードに対応して前記商品ランキングデータの出力形態を変更する出力変更処理と、
変更された出力形態で前記商品ランキングデータを報知出力するランキング報知処理と、
を自動販売機に実行させるコンピュータプログラム。
【請求項１７】
複数の商品選定スイッチを選定するユーザ入力操作に対応して収容している複数種類の定型の自販機商品を選択的に搬出する自動販売機のデータ処理方法であって、
少なくとも収容されている複数種類の前記自販機商品の商品ランキングデータを記憶するランキング記憶動作と、
記憶されている前記商品ランキングデータの少なくとも出力形態を変更する複数の出力変更モードを記憶するモード記憶動作と、
複数の前記出力変更モードの少なくとも一つを有効に設定するモード設定動作と、
設定された少なくとも一つの前記出力変更モードに対応して前記商品ランキングデータの出力形態を変更する出力変更動作と、
変更された出力形態で前記商品ランキングデータを報知出力するランキング報知動作と、
を自動販売機に実行させるデータ処理方法。
【発明の詳細な説明】
【技術分野】
【０００１】
本発明は、複数の商品選定スイッチを選定するユーザ入力操作に対応して収容している複数種類の定型の自販機商品を選択的に搬出する自動販売機、この自動販売機を有するデータ処理システム、その自動販売機のコンピュータプログラムおよびデータ処理方法、に関する。
【背景技術】
【０００２】
現在、いわゆるコンビニエンスストアなどのサプライチェーン店舗では、いわゆるＰＯＳ(Point Of Sales)システムにより、店頭販売商品を商品販売処理するときに、その販売履歴データを生成して蓄積している。
【０００３】
このように複数のサプライチェーン店舗で蓄積された販売履歴データは、例えば、チェーン店舗本部のデータベースサーバなどに収集され、サプライチェーン企業や商品製造メーカでの販売戦略の立案などに利用される。
【０００４】
上述のようなデータ収集などにより生成される店頭販売商品の売上ランキングなどは、例えば、宣伝の一環としてインターネットなどで一般ユーザに公表されていることもある。
【０００５】
商品購買に関する「ランキング」という概念は古くから存在したものであるが、デジタルマーケティングの台頭を受けて、その重要性を増している。今日では、例えば、書籍の売上のように、さらに、ランキングへの依存を高めている商品が増えつつあるのが現状である。
【０００６】
また、マーケティングの基本理論であるＡＩＤＭＡ理論（Attention→Interest→Desire→Memory→Action）において、最も、着目されている「Attention」と「Interest」の双方を充たすものとして、「ランキング表示」に関する技術的な工夫へのニーズは、ますます高くなっているのが現状である。
【０００７】
例えば、販売者が、旬のある売れ筋商品の販売管理を容易にでき、消費者が、売れ筋商品に関する情報を一覧でき且つ直接店頭に出向かなくても実際に陳列されている売れ筋商品を知ることができるようにした商品販売支援システムの提案がある。
【０００８】
その商品販売支援システムでは、各商品種別における売れ行きランキング上位の各商品をそのランキングに対応付けて示すランキング情報を入力すると、販売商品決定手段は、このランキング情報により示される各商品の商品特性及び店舗における店舗容量のうち少なくとも一方とランキングとに基づいて、店舗において販売すべき商品種別と該販売すべき商品種別に属する各商品のうちランキング上位の中で特定順位のものまで販売するかを決定する。この決定された商品種別及び商品を示す情報を、所定フォーマットで出力し、更に店舗に関連付けて需要者に開示する(例えば、特許文献１参照)。
【０００９】
また、商品の売れ筋情報を顧客に的確に供与できる自動販売機の提案もある。その自動販売機では、商品搬出毎に販売データの集計を行って順位付けを行い、１〜５位の順位が付与された商品の「縮小商品画像」とその「販売数順位」を現すランキング画像を作成してこれを表示することにより、このランキング画像によって商品の売れ筋情報を顧客に的確に供与して顧客が商品を購入する際の有益な情報として役立たせることができる(例えば、特許文献２参照)。
【００１０】
さらに、自動販売機内部の商品の配列位置を変えることなく、それとは無関係に、商品の表示位置を自由に、しかも、自動販売機まで出向かずに変更するシステムの提案もある。
【００１１】
そのシステムでは、自動販売機に電子表示機能および通信機能をもたせてデータセンタとネットワークで結び、データセンタからネットワークを介して自動販売機へ商品表示情報を配信し、自動販売機が前記商品表示情報にしたがって商品を表示する(例えば、特許文献３参照)。
【先行技術文献】
【特許文献】
【００１２】
【特許文献１】特開２００２−３３４２２９号公報
【特許文献２】特開２００５−２０２６８３号公報
【特許文献３】特開２００２−０４２２２３号公報
【発明の概要】
【発明が解決しようとする課題】
【００１３】
上述した特許文献２の技術は、ランキング表示と自動販売機を単純マッチングさせている。つまり、自動販売機を介した顧客との接点の改善を表示パネルに委ねている。その自動販売機では、商品搬出のフラグ→販売データの抽出→集計→ランキング画像の作成→画像の置換（表示）、を実行している。
【００１４】
しかし、上記の自動販売機は商品ランキングデータを一般ユーザに単純に表示しているだけである。このため、自販機商品への一般ユーザの興味を良好に喚起するようなことは困難である。
【００１５】
本発明は上述のような課題に鑑みてなされたものであり、商品ランキングデータによる自販機商品への一般ユーザの興味を良好に喚起することができる自動販売機、この自動販売機を有するデータ処理システム、その自動販売機のコンピュータプログラムおよびデータ処理方法、を提供するものである。
【課題を解決するための手段】
【００１６】
本発明の自動販売機は、複数の商品選定スイッチを選定するユーザ入力操作に対応して収容している複数種類の定型の自販機商品を選択的に搬出する自動販売機であって、収容される複数種類の自販機商品ごとに形成されている複数の商品選定スイッチと、少なくとも収容されている複数種類の自販機商品の商品ランキングデータを記憶するランキング記憶部と、記憶されている商品ランキングデータの少なくとも出力形態を変更する複数の出力変更モードを記憶するモード記憶部と、複数の出力変更モードの少なくとも一つを有効に設定するモード設定部と、設定された少なくとも一つの出力変更モードに対応して商品ランキングデータの出力形態を変更する出力変更部と、変更された出力形態で商品ランキングデータを報知出力するランキング報知部と、を有する。
【００１７】
従って、本発明の自動販売機では、収容される複数種類の自販機商品ごとに複数の商品選定スイッチが形成されている。少なくとも収容されている複数種類の自販機商品の商品ランキングデータをランキング記憶部が記憶する。記憶されている商品ランキングデータの少なくとも出力形態を変更する複数の出力変更モードをモード記憶部が記憶する。複数の出力変更モードの少なくとも一つをモード設定部が有効に設定する。設定された少なくとも一つの出力変更モードに対応して商品ランキングデータの出力形態を出力変更部が変更する。変更された出力形態で商品ランキングデータをランキング報知部が報知出力する。このため、記憶されている複数の出力変更モードの少なくとも一つが有効に設定されることで、記憶されている商品ランキングデータの出力形態が変更されて報知出力される。
【００１８】
また、上述のような自動販売機において、少なくともテキストデータを表示出力するディスプレイユニットと、ランキング報知部は、ディスプレイユニットにテキストデータで商品ランキングデータを表示出力させてもよい。
【００１９】
また、上述のような自動販売機において、商品選定スイッチは、少なくとも点灯する光源が内蔵されており、ランキング報知部は、報知出力する商品ランキングデータに対応して複数の商品選定スイッチの光源の点灯状態を選択的に制御してもよい。
【００２０】
また、上述のような自動販売機において、商品選定スイッチは、光源が内蔵されていて自販機商品を模式している商品ダミー部と、光源が内蔵されていてユーザ入力操作されるユーザ操作部と、を有し、ランキング報知部は、商品ダミー部とユーザ操作部との光源の点灯状態を個別に制御してもよい。
【００２１】
また、上述のような自動販売機において、一般ユーザによる少なくとも一つのユーザアクションを検知するアクション検知部を、さらに有し、出力変更部は、検知されたユーザアクションと出力変更モードとに対応して商品ランキングデータの出力形態を変更してもよい。
【００２２】
また、上述のような自動販売機において、モード記憶部は、複数の出力変更モードの一種として商品ランキングデータの出力タイミングを変更する複数のタイミング変更モードを記憶し、モード設定部は、ユーザアクションに対応して複数のタイミング変更モードの一つを有効に設定し、ランキング報知部は、設定されたタイミング変更モードに対応した出力タイミングで商品ランキングデータを報知出力してもよい。
【００２３】
また、上述のような自動販売機において、モード記憶部は、複数の出力変更モードの一種として自販機商品が販売される複数種類の商品販売領域ごとに商品ランキングデータを集計する複数の領域集計モードを記憶し、モード設定部は、出力変更モードとして複数の領域集計モードの一つを有効に設定し、出力変更部は、設定された領域集計モードに対応した商品販売領域の商品ランキングデータを集計してもよい。
【００２４】
また、上述のような自動販売機において、モード記憶部は、複数の出力変更モードの一種として自販機商品が販売される複数の商品販売期間ごとに商品ランキングデータを集計する複数の期間集計モードを記憶し、モード設定部は、出力変更モードとして複数の期間集計モードの一つを有効に設定し、出力変更部は、設定された期間集計モードに対応した商品販売期間の商品ランキングデータを集計してもよい。
【００２５】
また、上述のような自動販売機において、モード記憶部は、複数の出力変更モードの一種として自販機商品の複数種類の販売商品区分ごとに商品ランキングデータを集計する複数の区分集計モードを記憶し、モード設定部は、出力変更モードとして複数の区分集計モードの一つを有効に設定し、出力変更部は、設定された区分集計モードに対応した販売商品区分で商品ランキングデータを集計してもよい。
【００２６】
また、上述のような自動販売機において、外部入力される商品ランキングデータをランキング記憶部に記憶させるランキング入力部を、さらに有してもよい。
【００２７】
また、上述のような自動販売機において、外部入力される出力変更モードをモード記憶部に記憶させるモード入力部を、さらに有してもよい。
【００２８】
また、上述のような自動販売機において、外部入力されるモード設定データに対応して複数の出力変更モードの少なくとも一つをモード設定部に有効に設定する設定入力部を、さらに有してもよい。
【００２９】
本発明の第一のデータ処理システムは、本発明の複数の自動販売機と、複数の自動販売機に商品ランキングデータを配信するデータ処理装置と、を有する。
【００３０】
本発明の第二のデータ処理システムは、本発明の複数の自動販売機と、複数の自動販売機に出力変更モードを配信するデータ処理装置と、を有する。
【００３１】
本発明の第三のデータ処理システムは、本発明の複数の自動販売機と、複数の自動販売機にモード設定データを配信するデータ処理装置と、を有する。
【００３２】
本発明のコンピュータプログラムは、複数の商品選定スイッチを選定するユーザ入力操作に対応して収容している複数種類の定型の自販機商品を選択的に搬出する自動販売機のコンピュータプログラムであって、少なくとも収容されている複数種類の自販機商品の商品ランキングデータを記憶するランキング記憶処理と、記憶されている商品ランキングデータの少なくとも出力形態を変更する複数の出力変更モードを記憶するモード記憶処理と、複数の出力変更モードの少なくとも一つを有効に設定するモード設定処理と、設定された少なくとも一つの出力変更モードに対応して商品ランキングデータの出力形態を変更する出力変更処理と、変更された出力形態で商品ランキングデータを報知出力するランキング報知処理と、を自動販売機に実行させる。
【００３３】
本発明のデータ処理方法は、複数の商品選定スイッチを選定するユーザ入力操作に対応して収容している複数種類の定型の自販機商品を選択的に搬出する自動販売機のデータ処理方法であって、少なくとも収容されている複数種類の自販機商品の商品ランキングデータを記憶するランキング記憶動作と、記憶されている商品ランキングデータの少なくとも出力形態を変更する複数の出力変更モードを記憶するモード記憶動作と、複数の出力変更モードの少なくとも一つを有効に設定するモード設定動作と、設定された少なくとも一つの出力変更モードに対応して商品ランキングデータの出力形態を変更する出力変更動作と、変更された出力形態で商品ランキングデータを報知出力するランキング報知動作と、を自動販売機に実行させる。
【００３４】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００３５】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３６】
また、本発明のコンピュータプログラムおよびデータ処理方法は、複数の処理および動作を順番に記載してあるが、その記載の順番は複数の処理および複数の動作を実行する順番を限定するものではない。
【００３７】
このため、本発明のコンピュータプログラムおよびデータ処理方法を実施するときには、その複数の処理および複数の動作の順番は内容的に支障しない範囲で変更することができる。
【００３８】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００３９】
また、本発明で云う「データを記憶する」とは、本発明の装置が、少なくともデータを記憶する機能を有することを意味している。一方、本発明で云う「データを記憶している」とは、本発明の装置が、少なくともコンシューマにより使用されるときに「データを記憶している」状態となる機能を有することを意味している。
【００４０】
このため、本発明の装置がサプライヤから出荷されるときにデータが登録されていることの他、出荷されるときには登録されていないデータがコンシューマにより使用されるまでに登録されることも許容する。
【００４１】
また、本発明で云う自販機商品とは、少なくとも自動販売機で販売されることがある商品を意味しており、自動販売機でしか販売されない商品であることは意味していない。
【００４２】
さらに、商品販売領域とは、上述のような自販機商品が販売される三次元的に特定される領域を意味しており、例えば、その自動販売機、その自動販売機が設置されているサプライチェーン店舗、その自動販売機が設置されている販売区域、その自動販売機が設置されている市町村や都道府県、等として設定される。
【００４３】
また、商品販売期間とは、上述のような自販機商品が販売された時点の期間を意味しており、例えば、販売日一日、販売日から過去数日、過去数週間、過去数ヶ月、過去数年、等として設定される。
【００４４】
さらに、販売商品区分とは、上述のような自販機商品の各種特性を反映した区分であり、例えば、自販機商品がタバコパックであるならば、ロングかショートか、国内産か外国産か、メンソールか、ライトか、スリムか、等として設定される。
【発明の効果】
【００４５】
本発明の自動販売機では、少なくとも収容されている複数種類の自販機商品の商品ランキングデータをランキング記憶部が記憶する。記憶されている商品ランキングデータの少なくとも出力形態を変更する複数の出力変更モードをモード記憶部が記憶する。複数の出力変更モードの少なくとも一つをモード設定部が有効に設定する。設定された少なくとも一つの出力変更モードに対応して商品ランキングデータの出力形態を出力変更部が変更する。変更された出力形態で商品ランキングデータをランキング報知部が報知出力する。このため、記憶されている複数の出力変更モードの少なくとも一つが有効に設定されることで、記憶されている商品ランキングデータの出力形態が変更されて報知出力される。従って、販売する自販機商品の商品ランキングデータが一般ユーザに様々な出力形態で報知出力されるので、商品ランキングデータによる自販機商品への一般ユーザの興味を良好に喚起することができる。
【図面の簡単な説明】
【００４６】
【図１】本発明の実施の形態のデータ処理システムの論理構造を示す模式的なブロック図である。
【図２】データ処理システムの物理構造を示すブロック図である。
【図３】自動販売機の外観を示す斜視図である。
【図４】自動販売機の回路構造を示すブロック図である。
【図５】自動販売機の要部の外観を示す正面図である。
【図６】自動販売機によるデータ処理方法を示すフローチャートである。
【発明を実施するための形態】
【００４７】
本発明の実施の一形態を図面を参照して以下に説明する。本実施の形態の自動販売機１００は、複数の商品選定スイッチ１１０を選定するユーザ入力操作に対応して、収容している複数種類の定型の自販機商品であるタバコパックを選択的に搬出する。
【００４８】
本実施の形態の自動販売機１００は、図１に示すように、収容される複数種類のタバコパックごとに形成されている複数の商品選定スイッチ１１０と、少なくとも収容されている複数種類のタバコパックの商品ランキングデータＴＲＤを記憶するランキング記憶部１２１と、記憶されている商品ランキングデータＴＲＤの少なくとも出力形態を変更する複数の出力変更モードを記憶するモード記憶部１２２と、複数の出力変更モードの少なくとも一つを有効に設定するモード設定部１２３と、設定された少なくとも一つの出力変更モードに対応して商品ランキングデータＴＲＤの出力形態を変更する出力変更部１３１と、変更された出力形態で商品ランキングデータＴＲＤを報知出力するランキング報知部１４１と、を有する。
【００４９】
さらに、本実施の形態の自動販売機１００は、外部入力される商品ランキングデータＴＲＤをランキング記憶部１２１に記憶させるランキング入力部１５１と、外部入力される出力変更モードをモード記憶部１２２に記憶させるモード入力部１５２と、外部入力されるモード設定データＭＳＤに対応して複数の出力変更モードの少なくとも一つをモード設定部１２３に有効に設定する設定入力部１５３と、も有する。
【００５０】
より具体的には、図２に示すように、本実施の形態のデータ処理システム１０００では、複数の自動販売機１００が商品製造メーカのデータ処理装置２００とＷＡＮ(Wide Area Network)などの通信ネットワークＣＩＮで接続されている。
【００５１】
商品製造メーカは、タバコパックを製造して自動販売機１００に供給する。データ処理装置２００は、商品製造メーカのデータベースサーバなどからなる。
【００５２】
このデータ処理装置２００は、詳細には後述するが、商品製造メーカで製造されて販売されているタバコパックの、各種の商品ランキングデータＴＲＤを収集して管理している。
【００５３】
本実施の形態の自動販売機１００は、図３に示すように、ボックス状の販売機本体１０１を有し、その内部に複数種類のタバコパックを収容している。そして、この収容している複数種類のタバコパックごとに、複数の商品選定スイッチ１１０が前面上部に配列されている。
【００５４】
この商品選定スイッチ１１０は、図１および図５に示すように、光源１１３が内蔵されていてタバコパックを模式している商品ダミー部１１１と、光源１１４が内蔵されていてユーザ入力操作されるユーザ操作部１１２と、を有する。
【００５５】
このため、ランキング報知部１４１は、商品ダミー部１１１とユーザ操作部１１２との光源１１３，１１４の点灯状態を個別に制御することで、報知出力する商品ランキングデータＴＲＤに対応して複数の商品選定スイッチ１１０の光源１１３，１１４の点灯状態を選択的に制御する。
【００５６】
また、本実施の形態の自動販売機１００では、図３に示すように、上述のような商品選定スイッチ１１０が配列されている部分の直下に、横長のディスプレイユニット１４０が配置されている。
【００５７】
そこで、詳細には後述するが、図５等に示すように、前述のランキング報知部１４１は、ディスプレイユニット１４０にテキストデータで商品ランキングデータＴＲＤを表示出力させる。
【００５８】
なお、本実施の形態の自動販売機１００では、図１に示すように、モード記憶部１２２は、複数の出力変更モードの一種として商品ランキングデータＴＲＤの出力タイミングを変更する複数のタイミング変更モードＴＣＭを記憶する。
【００５９】
このため、モード設定部１２３は、ユーザアクションに対応して複数のタイミング変更モードＴＣＭの一つを有効に設定し、ランキング報知部１４１は、設定されたタイミング変更モードＴＣＭに対応した出力タイミングで商品ランキングデータＴＲＤを報知出力する。
【００６０】
また、モード記憶部１２２は、複数の出力変更モードの一種としてタバコパックが販売される複数種類の商品販売領域ごとに商品ランキングデータＴＲＤを集計する複数の領域集計モードＳＴＭも記憶する。
【００６１】
このため、モード設定部１２３は、出力変更モードとして複数の領域集計モードＳＴＭの一つを有効に設定し、出力変更部１３１は、設定された領域集計モードＳＴＭに対応した商品販売領域の商品ランキングデータＴＲＤを集計する。
【００６２】
さらに、モード記憶部１２２は、複数の出力変更モードの一種としてタバコパックが販売される複数の商品販売期間ごとに商品ランキングデータＴＲＤを集計する複数の期間集計モードＴＴＭも記憶する。
【００６３】
このため、モード設定部１２３は、出力変更モードとして複数の期間集計モードＴＴＭの一つを有効に設定し、出力変更部１３１は、設定された期間集計モードＴＴＭに対応した商品販売期間の商品ランキングデータＴＲＤを集計する。
【００６４】
なお、本実施の形態の自動販売機１００は、図４に示すように、ハードウェアとしてメモリデバイス１２０やコンピュータユニット１３０やデータ通信ユニット１５０なども有する。
【００６５】
そのコンピュータユニット１３０が、実装されているコンピュータプログラムに対応して各種のハードウェア１１０〜を統合制御することなどにより、上述した各部１２１等が論理的に実現されている。
【００６６】
例えば、ランキング記憶部１２１とモード記憶部１２２とは、コンピュータユニット１３０が実装されているコンピュータプログラムに対応して認識するメモリデバイス１２０の記憶エリアなどに相当する。
【００６７】
モード設定部１２３と出力変更部１３１とは、コンピュータユニット１３０が実装されているコンピュータプログラムに対応して所定のデータ処理を実行する機能などに相当する。
【００６８】
ランキング報知部１４１は、コンピュータユニット１３０が実装されているコンピュータプログラムに対応して商品選定スイッチ１１０の光源１１３，１１４やディスプレイユニット１４０を動作制御する機能などに相当する。
【００６９】
ランキング入力部１５１とモード入力部１５２と設定入力部１５３とは、コンピュータユニット１３０が実装されているコンピュータプログラムに対応してデータ通信ユニット１５０の受信データをメモリデバイス１２０に格納する機能などに相当する。
【００７０】
上述のような自動販売機１００のコンピュータプログラムは、例えば、少なくとも収容されている複数種類のタバコパックの商品ランキングデータＴＲＤを記憶するランキング記憶処理と、記憶されている商品ランキングデータＴＲＤの少なくとも出力形態を変更する複数の出力変更モードを記憶するモード記憶処理と、複数の出力変更モードの少なくとも一つを有効に設定するモード設定処理と、設定された少なくとも一つの出力変更モードに対応して商品ランキングデータＴＲＤの出力形態を変更する出力変更処理と、変更された出力形態で商品ランキングデータＴＲＤを報知出力するランキング報知処理と、を自動販売機１００に実行させるように記述されている。
【００７１】
なお、本実施の形態のデータ処理システム１０００では、例えば、商品製造メーカのデータ処理装置２００が、複数の自動販売機１００に商品ランキングデータＴＲＤや出力変更モードやモード設定データＭＳＤを配信する。
【００７２】
上述のような構成において、本実施の形態の自動販売機によるデータ処理方法を以下に説明する。まず、前述のように商品製造メーカは複数種類のタバコパックを製造し、自動販売機１００を利用するなどして販売している。
【００７３】
そして、例えば、タバコパックの銘柄ごとの売上状況を、商品ランキングデータＴＲＤとして個体ごとにデータ処理装置２００で収集している。ただし、この商品ランキングデータＴＲＤは、例えば、何処の自動販売機１００で販売されたか、コンビニエンスストアなどの何処の店舗で販売されたか、何処の地域で販売されたか、などのタバコパックが販売される複数種類の商品販売領域が、販売されたタバコパックごとに領域属性データとして付与されている。
【００７４】
さらに、販売されたのは何年何月何日何時何分何秒か、何曜日か、平日か休日か祝日か、などのタバコパックが販売される商品販売期間も、販売されたタバコパックごとに期間属性データとして付与されている。
【００７５】
上述のようにタバコパックごとに収集された商品ランキングデータＴＲＤが、例えば、一日一回などの所定タイミングでデータ処理装置２００から自動販売機１００に配信される。
【００７６】
そこで、図６に示すように、この商品ランキングデータＴＲＤを受信した自動販売機１００は(ステップＳ１−Ｙ)、受信した商品ランキングデータＴＲＤを記憶する(ステップＳ２)。
【００７７】
さらに、データ処理装置２００は、例えば、複数種類のタイミング変更モードＴＣＭと、複数の領域集計モードＳＴＭと、複数の期間集計モードＴＴＭと、を必要により自動販売機１００に配信する。
【００７８】
そこで、この複数種類のタイミング変更モードＴＣＭと、複数の領域集計モードＳＴＭと、複数の期間集計モードＴＴＭと、を受信した自動販売機１００は(ステップＳ３−Ｙ)、その受信した各種変更／集計データも記憶する(ステップＳ４)。
【００７９】
さらに、データ処理装置２００は、例えば、そのときの販売戦略などにより、複数種類のタイミング変更モードＴＣＭの一つと、複数の領域集計モードＳＴＭの一つと、複数の期間集計モードＴＴＭの一つと、を設定するモード設定データＭＳＤも自動販売機１００に配信する。
【００８０】
そこで、このモード設定データＭＳＤを受信した自動販売機１００は(ステップＳ５−Ｙ)、受信したモード設定データＭＳＤも記憶する(ステップＳ６)。そして、このモード設定データＭＳＤに対応して、複数種類のタイミング変更モードＴＣＭの一つと、複数の領域集計モードＳＴＭの一つと、複数の期間集計モードＴＴＭの一つと、を読み出す(ステップＳ７)。
【００８１】
つぎに、その読み出された領域集計モードＳＴＭと期間集計モードＴＴＭとで商品ランキングデータＴＲＤが集計される(ステップＳ８)。そして、この集計された商品ランキングデータＴＲＤが、読み出されたタイミング変更モードＴＣＭに対応して表示出力される(ステップＳ９〜Ｓ１０−Ｎ)。
【００８２】
例えば、このモード設定データＭＳＤにより、タイミング変更モードＴＣＭとして、商品ランキングデータＴＲＤの毎時変化表示、領域集計モードＳＴＭとして、その自動販売機１００での商品ランキングデータＴＲＤ、期間集計モードＴＴＭとして、一ヶ月の商品ランキングデータＴＲＤ、が自動販売機１００に設定されたとする。
【００８３】
すると、その自動販売機１００は、一ヶ月に販売したタバコパックの商品ランキングデータＴＲＤを一時間毎の周期で変化させて表示出力する。このような商品ランキングデータＴＲＤは、例えば、図５に示すように、ディスプレイユニット１４０にテキストデータで以下のように表示出力される。
【００８４】
「この販売機で一ヶ月に販売されたランキングです。  
第一位      第二位        第三位      第四位    …
Ｅライト    Ａメンソール  Ｃショート  Ｂライト  …」
【００８５】
なお、このようなテキストデータからなる商品ランキングデータＴＲＤの表示出力は、例えば、右側から左方へのスクロール表示などで、顧客の注意を良好に喚起するように出力される。
【００８６】
また、モード設定データＭＳＤにより、タイミング変更モードＴＣＭとして、複数の商品販売領域の十分などの所定間隔での経時切換表示、領域集計モードＳＴＭとして、その自動販売機１００、その市街、その都道府県、期間集計モードＴＴＭとして、一週間の商品ランキングデータＴＲＤ、が自動販売機１００に設定されたとする。
【００８７】
すると、その自動販売機１００は、その自動販売機１００、その市街、その都道府県、で一週間に販売されたタバコパックの商品ランキングデータＴＲＤを、十分ごとに集計して切換表示する。
【００８８】
さらに、上述のようにモード設定データＭＳＤにより商品ランキングデータＴＲＤがディスプレイユニット１４０に表示出力されるとき、例えば、そのモード設定データＭＳＤによりタバコパックの商品選定スイッチ１１０の点灯状態が制御されてもよい。
【００８９】
その場合、例えば、第一位のタバコパックでは商品選定スイッチ１１０の商品ダミー部１１１とユーザ操作部１１２とが点滅され、第二位では商品ダミー部１１１が点滅されるとともにユーザ操作部１１２とが点灯され、第三位では商品ダミー部１１１とユーザ操作部１１２とが点灯される。
【００９０】
また、モード設定データＭＳＤにより、上述のような商品選定スイッチ１１０の点灯状態が動的に制御されてもよい。例えば、前述のようにテキストデータからなる商品ランキングデータＴＲＤがスクロール表示されるとき、そのディスプレイユニット１４０での表示出力されているタバコパックの商品選定スイッチ１１０が点滅されてもよい。
【００９１】
本実施の形態の自動販売機１００では、上述のように少なくとも収容されている複数種類のタバコパックの商品ランキングデータＴＲＤをランキング記憶部１２１が記憶する。
【００９２】
このように記憶されている商品ランキングデータＴＲＤの少なくとも出力形態を変更する複数の出力変更モードをモード記憶部１２２が記憶する。その複数の出力変更モードの少なくとも一つをモード設定部１２３が有効に設定する。
【００９３】
設定された少なくとも一つの出力変更モードに対応して商品ランキングデータＴＲＤの出力形態を出力変更部１３１が変更する。変更された出力形態で商品ランキングデータＴＲＤをランキング報知部１４１が報知出力する。
【００９４】
このため、記憶されている複数の出力変更モードの少なくとも一つが有効に設定されることで、記憶されている商品ランキングデータＴＲＤの出力形態が変更されて報知出力される。
【００９５】
従って、販売するタバコパックの商品ランキングデータＴＲＤが一般ユーザに様々な出力形態で報知出力されるので、商品ランキングデータＴＲＤによるタバコパックへの一般ユーザの興味を良好に喚起することができる。
【００９６】
特に、データ処理装置２００で収集されている商品ランキングデータＴＲＤを複数の複数の出力変更モードとともに自動販売機１００が保持する。このため、自動販売機１００が商品ランキングデータＴＲＤを集計して出力するために商品製造メーカのデータ処理装置２００に依存する必要がなく、自動販売機１００がスタンドアロンで商品ランキングデータＴＲＤを集計して出力することができる。
【００９７】
このため、商品製造メーカでは、所望により各種データをデータ処理装置２００から自動販売機１００に配信すれば、あとは自動販売機１００のスタンドアロンの動作で商品ランキングデータＴＲＤを報知させることができる。
【００９８】
従って、データ処理装置２００が自動販売機１００と常時通信して商品ランキングデータＴＲＤの表示出力をリアルタイムに制御するような必要がないので、データ処理装置２００の処理負担を軽減して通信ネットワークＣＩＮの輻輳も防止することができる。
【００９９】
しかも、本実施の形態の自動販売機１００では、モード記憶部１２２は、複数の出力変更モードの一種としてタバコパックが販売される複数種類の商品販売領域ごとに商品ランキングデータＴＲＤを集計する複数の領域集計モードＳＴＭを記憶し、モード設定部１２３は、出力変更モードとして複数の領域集計モードＳＴＭの一つを有効に設定し、出力変更部１３１は、設定された領域集計モードＳＴＭに対応した商品販売領域の商品ランキングデータＴＲＤを集計する。
【０１００】
このため、広域から収集された商品ランキングデータＴＲＤを特定の商品販売領域ごとに集計して報知することができるので、例えば、特定の地域などに対応した一般ユーザの商品ランキングデータＴＲＤへの興味を良好に喚起することができる。
【０１０１】
さらに、本実施の形態の自動販売機１００では、モード記憶部１２２は、複数の出力変更モードの一種としてタバコパックが販売される複数の商品販売期間ごとに商品ランキングデータＴＲＤを集計する複数の期間集計モードＴＴＭを記憶し、モード設定部１２３は、出力変更モードとして複数の期間集計モードＴＴＭの一つを有効に設定し、出力変更部１３１は、設定された期間集計モードＴＴＭに対応した商品販売期間の商品ランキングデータＴＲＤを集計する。
【０１０２】
このため、長期間に収集された商品ランキングデータＴＲＤを特定の商品販売期間ごとに集計して報知することができるので、例えば、特定の日時などに対応した一般ユーザの商品ランキングデータＴＲＤへの興味を良好に喚起することができる。
【０１０３】
さらに、本実施の形態の自動販売機１００では、ランキング報知部１４１は、ディスプレイユニット１４０にテキストデータで商品ランキングデータＴＲＤを表示出力させる。このため、一般的なディスプレイユニット１４０で商品ランキングデータＴＲＤを明瞭に報知することができる。
【０１０４】
しかも、本実施の形態の自動販売機１００では、商品選定スイッチ１１０は、少なくとも点灯する光源１１３，１１４が内蔵されており、ランキング報知部１４１は、報知出力する商品ランキングデータＴＲＤに対応して複数の商品選定スイッチ１１０の光源１１３，１１４の点灯状態を選択的に制御する。
【０１０５】
このため、ディスプレイユニット１４０による表示出力だけなく、タバコパックの購入に利用される商品選定スイッチ１１０で商品ランキングデータＴＲＤを報知することができ、その商品ランキングデータＴＲＤに対応したタバコパックの購入を促進するようなことができる。
【０１０６】
特に、本実施の形態の自動販売機１００では、商品選定スイッチ１１０は、光源１１３が内蔵されていてタバコパックを模式している商品ダミー部１１１と、光源１１４が内蔵されていてユーザ入力操作されるユーザ操作部１１２と、を有し、ランキング報知部１４１は、商品ダミー部１１１とユーザ操作部１１２との光源１１３，１１４の点灯状態を個別に制御する。
【０１０７】
このため、複数段階の商品ランキングデータＴＲＤに対応して商品選定スイッチ１１０の商品ダミー部１１１とユーザ操作部１１２との点灯状態を個別に制御することができるので、より効果的に商品ランキングデータＴＲＤに対応した商品選定スイッチ１１０の点灯制御を実行することができる。
【０１０８】
しかも、本実施の形態のデータ処理システム１０００では、データ処理装置２００が複数の自動販売機１００に商品ランキングデータＴＲＤを配信し、自動販売機１００はランキング入力部１５１が外部入力される商品ランキングデータＴＲＤをランキング記憶部１２１に記憶させる。
【０１０９】
このため、商品製造メーカでは、データ処理装置２００により所望のタイミングで最新の商品ランキングデータＴＲＤを自動販売機１００に配信するようなことができる。
【０１１０】
また、本実施の形態のデータ処理システム１０００では、データ処理装置２００が複数の自動販売機１００に出力変更モードを配信し、自動販売機１００はモード入力部１５２が外部入力される出力変更モードをモード記憶部１２２に記憶させる。
【０１１１】
このため、商品製造メーカでは、販売戦略などにより各種の出力変更モードを立案し、その出力変更モードを所望のタイミングで自動販売機１００に配信するようなことができる。
【０１１２】
さらに、本実施の形態のデータ処理システム１０００では、データ処理装置２００が複数の自動販売機１００にモード設定データＭＳＤを配信し、自動販売機１００は設定入力部１５３が外部入力されるモード設定データＭＳＤに対応して複数の出力変更モードの少なくとも一つをモード設定部１２３に有効に設定する。
【０１１３】
このため、商品製造メーカでは、販売戦略などにより複数の出力変更モードの切換表示を立案し、そのモード設定データＭＳＤを自動販売機１００に配信するようなことができる。
【０１１４】
なお、本発明は本実施の形態に限定されるものではなく、その要旨を逸脱しない範囲で各種の変形を許容する。例えば、上記形態では自動販売機１００がデータ処理装置２００に設定されたモード設定データＭＳＤにより、同様に設定されたタイミング変更モードＴＣＭに対応したタイミングで、領域集計モードＳＴＭと期間集計モードＴＴＭとで商品ランキングデータＴＲＤを集計して出力することを例示した。
【０１１５】
しかし、自動販売機(図示せず)が、一般ユーザによる少なくとも一つのユーザアクションを検知するアクション検知部を、さらに有し、検知されたユーザアクションと出力変更モードとに対応して商品ランキングデータＴＲＤの出力形態を変更してもよい。
【０１１６】
より具体的には、例えば、一般ユーザが商品選定スイッチ１１０をユーザ入力操作したとき、一般ユーザが料金を投入したとき、一般ユーザが専用の人感センサに検知されたとき、一般ユーザが成人認証システムを使用したとき、などをユーザアクションとして検知し、そのタイミングで商品ランキングデータＴＲＤを切換表示してもよい(図示せず)。
【０１１７】
さらに、上記形態ではモード記憶部１２２が、複数の出力変更モードとして、タイミング変更モードＴＣＭと領域集計モードＳＴＭと期間集計モードＴＴＭとを記憶し、これらに対応して商品ランキングデータＴＲＤの出力形態が変更されることを例示した。
【０１１８】
しかし、上述のようなモード記憶部(図示せず)が、複数の出力変更モードの一種としてタバコパックの複数種類の販売商品区分ごとに商品ランキングデータＴＲＤを集計する複数の区分集計モードを記憶し、モード設定部１２３が、出力変更モードとして複数の区分集計モードの一つを有効に設定し、出力変更部１３１が、設定された区分集計モードに対応した販売商品区分で商品ランキングデータＴＲＤを集計してもよい。
【０１１９】
その場合、タバコパックごとの商品ランキングデータＴＲＤには、例えば、メンソールの有無、ロングやショートなどのサイズ、国内産か外国産かの区分、などの販売商品区分が、タバコパックごとに区分属性データとして付与される。
【０１２０】
そして、上述のような区分属性データに対応した複数種類の区分集計モードが自動販売機１００に記憶されてモード設定データＭＳＤにより一つが有効とされることにより、例えば、メンソールタバコの商品ランキングデータＴＲＤなどが報知されることになる。
【０１２１】
また、上記形態では商品ランキングデータＴＲＤがテキストデータにより簡明に表示出力されることを例示した。しかし、このような商品ランキングデータＴＲＤが、いわゆる棒グラフや円グラフなどにより、グラフィカルに表示されてもよい。
【０１２２】
さらに、上記形態では商品ランキングデータＴＲＤがディスプレイユニット１４０により表示出力されることを例示した。しかし、スピーカユニット(図示せず)により音声出力されてもよい。
【０１２３】
また、本実施の形態では自動販売機の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１２４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１２５】
１００    自動販売機
１０１    販売機本体
１１０    商品選定スイッチ
１１１    商品ダミー部
１１２    ユーザ操作部
１１３    光源
１１４    光源
１２０    メモリデバイス
１２１    ランキング記憶部
１２２    モード記憶部
１２３    モード設定部
１３０    コンピュータユニット
１３１    出力変更部
１４０    ディスプレイユニット
１４１    ランキング報知部
１５０    データ通信ユニット
１５１    ランキング入力部
１５２    モード入力部
１５３    設定入力部
２００    データ処理装置
１０００    データ処理システム
ＣＩＮ    通信ネットワーク
ＭＳＤ    モード設定データ
ＳＴＭ    領域集計モード
ＴＣＭ    タイミング変更モード
ＴＭＭ    商品製造メーカ
ＴＲＤ    商品ランキングデータ
ＴＴＭ    期間集計モード
【図１】
2010191840.tif 000003
【図２】
2010191840.tif 000004
【図３】
2010191840.tif 000005
【図４】
2010191840.tif 000006
【図５】
2010191840.tif 000007
【図６】
2010191840.tif 000008